(57)【要約】【課題】遊技装置を大型化した場合にも入賞領域への入賞割合を安定させることのできる弾球遊技機の提供を目的とする。【解決手段】第１球通路７０の途中あるいは下側には、遊技球を第２球通路７２側に進路変更可能とする進路変更部材７６を配置し、第２球通路と進路変更部材の間には遊技球を第２球通路へ誘導可能な連通通路８５を配置し、連通通路の上側通路部材７９には、遊技球が進路変更部材から第２球通路へ向かう軌道から外れた位置に進路変更部材側に向けて略円弧状突起８０を形成し、連通通路の下側通路部材８３には、遊技球の流下可能な平面形状の流下面８４を設け、略円弧状突起が遊技球と接することにより遊技球の勢いを緩和すると共に当該遊技球を第２球通路へ向かう軌道に修正するように構成した。【選択図】図６
2007296014.tif 000002
【特許請求の範囲】
【請求項１】
遊技盤と、
前記遊技盤上に形成されて遊技球が打ち込み可能とされた遊技領域と、
前記遊技領域内に配置された遊技装置と、
前記遊技装置の直下に位置して遊技球の入球に起因して遊技者に有利な特典を付与可能な入賞領域と、
前記遊技領域における前記遊技装置の側部側に形成されて遊技球を下方へ流下させる第１球通路と、
前記第１球通路の下方側でかつ前記遊技装置の下側に位置して遊技球を前記入賞領域へ向けて流下させる第２球通路と、
を備えた弾球遊技機において、
前記第１球通路の途中あるいは下側には、前記第１球通路を流下してきた遊技球を前記第２球通路側に進路変更可能とする進路変更部材が配置され、
前記第２球通路と前記進路変更部材の間には前記進路変更部材により進路変更された遊技球を前記第２球通路へ誘導可能な連通通路が前記第２球通路と通じて配置され、
前記第２球通路は、遊技球の誘導面が形成された誘導部材を複数配設することにより構成される一方、前記連通通路は前記誘導部材とは異なる部材からなる上側通路部材と下側通路部材の間で構成され、
前記連通通路の上側通路部材には、遊技球が前記進路変更部材から前記第２球通路へ向かう軌道から外れた位置に前記進路変更部材側に向けて略円弧状突起が形成され、
前記連通通路の下側通路部材には、遊技球の流下可能な平面形状の流下面が少なくとも前記略円弧状突起の下方に、かつ前記流下面を流下する遊技球を前記複数の誘導部材上へ誘導可能に形成され、
前記略円弧状突起は、前記進路変更部材により進路変更されてきた遊技球が接することにより遊技球の勢いを緩和すると共に当該遊技球を前記第２球通路へ向かう軌道に修正することを特徴とする弾球遊技機。
【請求項２】
前記略円弧状突起の一端側には前記第２球通路と同方向に延びた延設部が形成され、前記延設部と前記第２球通路の間は、少なくとも遊技球の１個が通過可能な間隔とされていることを特徴とする請求項１に記載の弾球遊技機。
【請求項３】
前記下側通路部材の流下面が、前記進路変更部材側から少なくとも前記略円弧状突起と前記延設部との境に対応する位置まで形成されていることを特徴とする請求項２に記載の弾球遊技機。
【請求項４】
前記略円弧状突起と前記下側通路部材の流下面の間隔が、前記進路変更部材側では遊技球の直径の２倍以上とされる一方、前記第２球通路側では遊技球の直径の１倍より大きくかつ２倍未満とされていることを特徴とする請求項１から３の何れか一項に記載の弾球遊技機。
【請求項５】
前記進路変更部材は、接触した遊技球を前記第２球通路側へ進路変更させる状態と、前記第２球通路側とは異なる方向へ進路変更させる状態とに変化可能に構成されていることを特徴とする請求項１から４の何れか一項に記載の弾球遊技機。
【発明の詳細な説明】
【技術分野】
【０００１】
本発明は、パチンコ遊技機等に代表される弾球遊技機に関する。
【背景技術】
【０００２】
従来、遊技球が打ち込み可能とされた遊技領域に配置される図柄表示装置とセンター役物等で構成される遊技装置と、遊技装置の直下に位置して遊技球の入球に起因して遊技者へ有利な特典の付与が可能な始動入賞口などからなる入賞領域と、遊技領域における遊技装置の側部側に形成されて遊技球を下方側へ向けて流下させる第１球通路と、第１球通路の下方側でかつ遊技装置の下側に位置して遊技球を入賞領域へ向けて流下させる第２球通路と、第１球通路と第２球通路の間に位置して流下する遊技球が接触して回転することにより遊技球を第２球通路とその他の通路に振り分ける風車などの進路変更部材と、進路変更部材から入賞領域に向けて配置した第２球通路を構成する複数の釘とを備えた弾球遊技機がある。
【０００３】
前記従来の弾球遊技機においては、第１球通路を流下してきた遊技球は風車などの進路変更部材と接触して流下方向が振り分けられ、第２球通路の方向に進路が振り分けられた遊技球については、第２球通路を構成する釘の上を通過する際に釘への接触状態に応じて弾みながら入賞領域へ流下するように構成されている。
【特許文献１】特開２００５−２２４３１５号公報（図１参照）
【発明の開示】
【発明が解決しようとする課題】
【０００４】
しかしながら、従来の弾球遊技機においては、例えば、近年好まれている遊技装置の大型化を行うと、遊技領域のうち第１球通路が配置されている側の部分が狭くなったり、第１球通路が遊技領域の側端側に寄せられたりするようになり、それに伴い、第１球通路の下方側に位置する風車などの進路変更部材から入賞領域までの距離が増大して第２球通路の長さが増大するようになる。そして長くなった第２球通路を遊技球が流下する間に、遊技球の弾む回数や頻度が増加したり、遊技球の流下速度が増大したりするようになり、その結果、遊技球が入賞領域を飛び越え易くなったりなどして例えば、入賞割合が不安定になる等のおそれがある。
【０００５】
本発明は、前記の点に鑑みなされたもので、例えば、遊技装置を大型化した場合にも入賞領域への入賞割合を安定させること等のできる弾球遊技機の提供を目的とする。
【課題を解決するための手段】
【０００６】
請求項１の発明は、遊技盤と、前記遊技盤上に形成されて遊技球が打ち込み可能とされた遊技領域と、前記遊技領域内に配置された遊技装置と、前記遊技装置の直下に位置して遊技球の入球に起因して遊技者に有利な特典を付与可能な入賞領域と、前記遊技領域における前記遊技装置の側部側に形成されて遊技球を下方へ流下させる第１球通路と、前記第１球通路の下方側でかつ前記遊技装置の下側に位置して遊技球を前記入賞領域へ向けて流下させる第２球通路と、を備えた弾球遊技機において、前記第１球通路の途中あるいは下側には、前記第１球通路を流下してきた遊技球を前記第２球通路側に進路変更可能可能とする進路変更部材が配置され、前記第２球通路と前記進路変更部材の間には前記進路変更部材により進路変更された遊技球を前記第２球通路へ誘導可能な連通通路が前記第２球通路と通じて配置され、前記第２球通路は、遊技球の誘導面が形成された誘導部材を複数配設することにより構成される一方、前記連通通路は前記誘導部材とは異なる部材からなる上側通路部材と下側通路部材の間で構成され、前記連通通路の上側通路部材には、遊技球が前記進路変更部材から前記第２球通路へ向かう軌道から外れた位置に前記進路変更部材側に向けて略円弧状突起が形成され、前記連通通路の下側通路部材には、遊技球の流下可能な平面形状の流下面が少なくとも前記略円弧状突起の下方に、かつ前記流下面を流下する遊技球を前記複数の誘導部材上へ誘導可能に形成され、前記略円弧状突起は、前記進路変更部材により進路変更されてきた遊技球が接することにより遊技球の勢いを緩和すると共に当該遊技球を前記第２球通路へ向かう軌道に修正することを特徴とする。
【０００７】
請求項２の発明は、請求項１において、前記略円弧状突起の一端側には前記第２球通路と同方向に延びた延設部が形成され、前記延設部と前記第２球通路の間は、少なくとも遊技球の１個が通過可能な間隔とされていることを特徴とする。
【０００８】
請求項３の発明は、請求項２において、前記略円弧状突起の一端側には前記第２球通路と同方向に延びた延設部が形成され、前記延設部と前記第２球通路の間は、少なくとも遊技球の１個が通過可能な間隔とされていることを特徴とする。
【０００９】
請求項４の発明は、請求項１から３の何れか一項において、前記略円弧状突起と前記下側通路部材の流下面の間隔が、前記進路変更部材側では遊技球の直径の２倍以上とされる一方、前記第２球通路側では遊技球の直径の１倍より大きくかつ２倍未満とされていることを特徴とする。
【００１０】
請求項５の発明は、請求項１から４の何れか一項において、前記進路変更部材は、接触した遊技球を前記第２球通路側へ進路変更させる状態と、前記第２球通路側とは異なる方向へ進路変更させる状態とに変化可能に構成されていることを特徴とする。
【発明の効果】
【００１１】
請求項１の発明によれば、第２球通路へ遊技球を誘導する連通通路の上側通路部材には、遊技球が進路変更部材から第２球通路へ向かう軌道から外れた位置に進路変更部材側に向けて略円弧状突起が形成され、連通通路の下側通路部材には、遊技球の流下可能な平面形状の流下面が少なくとも前記略円弧状突起の下方に、かつ流下面を流下する遊技球を第２球通路へ誘導可能に形成されている構成としたことにより、複数の遊技球が進路変更部材から連通通路を通って第２球通路へ流下する際に遊技球が詰まる等のおそれを低減させることが可能となる。
【００１２】
しかも、請求項１の発明によれば、第１球通路を流下した遊技球が、進路変更部材と接触して進路変更され、第２球通路側に向かう軌道から外れた場合にも、連通通路の上側通路部材の略円弧状突起と接触することによって、遊技球の勢いを緩和させて第２球通路側に修正することが可能であり、連通通路から第２球通路へ遊技球をスムーズに誘導することができるため、例えば、遊技装置の大型化により第２球通路が長くなる等の状態となったとしても、第２球通路が遊技球を弾ませながら流下させるという弾球遊技機の機能を生かしながら、入賞領域へ入賞する割合を安定させること等が可能となる。
【００１３】
請求項２の発明によれば、略円弧状突起の一端側には第２球通路と同方向に延びた延設部が形成され、延設部と第２球通路の間は、少なくとも遊技球の１個が通過可能な間隔とされている構成としたことにより、連通通路を経由して第２球通路を流下する遊技球が、例えば大きく弾んだ場合にも延設部と接触して第２球通路側へ向かう軌道に修正することが可能となる。
【００１４】
請求項３の発明によれば、下側通路部材の流下面が、進路変更部材側から少なくとも略円弧状突起と延設部との境に対応する位置まで形成されている構成としたことにより、複数の遊技球が連通通路を流下して第２連通通路へ向かう場合にも、少なくとも連通通路内で球詰まりするおそれを低減することが可能である。
【００１５】
請求項４の発明によれば、略円弧状突起と下側通路部材の流下面の間隔が、進路変更部材側では遊技球の直径の２倍以上とされる一方、第２球通路側では遊技球の直径の１倍より大きくかつ２倍未満とされている構成としたことにより、複数の遊技球が進路変更部材から連通通路を通って第２球通路へ流下する際に、遊技球を１個ずつ第２球通路へ流下させることが可能であり、略円弧状突起と下側通路部材の流下面間に複数の遊技球がまとまって詰まるおそれを低減することが可能である。
【００１６】
請求項５の発明によれば、進路変更部材に接触した遊技球を第２球通路側へ進路変更させる状態と、第２球通路側とは異なる方向へ進路変更させる状態とに変化可能に進路変更部材を構成したことにより、第１球通路を流下する遊技球を第２球通路あるいは第２球通路とは異なる側に進路変更し、遊技球の流下態様を多様化させることが可能である。
【発明を実施するための最良の形態】
【００１７】
以下、添付の図面に基づき本発明の実施形態を説明する。図１は本発明の一実施例に係る弾球遊技機全体を示す正面図、図２は同実施例における遊技領域の正面図、図３は同実施例における遊技装置の分解斜視図、図４は同実施例における遊技領域の右半分を示す正面図、図５は同実施例における遊技領域の左半分を示す正面図、図６は同実施例におけるワープルート入り口及び進路変更部材付近を示す正面図、図７は上側通路部材を設けない場合における遊技領域の左半分を示す正面図、図８は円弧状突起及び下側通路部材を設けない場合における進路変更部材付近を示す正面図、図９は下側通路部材を設けない場合における進路変更部材付近を示す正面図である。
【００１８】
図１に示す弾球遊技機１は、遊技媒体として遊技球を用いるパチンコ遊技機であって、遊技盤２の縁に外レール３及び内レール４で構成される領域区画部材が略円形に配置され、前記外レール３及び内レール４からなる領域区画部材によって区画された遊技領域６が前記遊技盤２上に設けられている。本実施例における前記遊技領域６は略円形とされているが、円形に限るものではなく、例えば少なくとも一部が略直線状とされたものでもよい。また、弾球遊技機１の前面側には、左ランプ３５ａ及び右ランプ３５ｂ、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を前記遊技領域６へ向けて弾発発射するための球発射装置６４が設けられている。なお、符号Ｆ１は弾球遊技機の外枠、Ｆ２は外枠Ｆ１に取り付けられた前枠、Ｇは前枠Ｆ２に開閉可能にヒンジで取り付けられたガラス枠である。また、前記遊技領域６には、前記遊技領域６に打ち込まれた遊技球を誘導する複数の釘Ｊが所要位置に立設されている。釘Ｊは、全てを図に示すと煩雑になるため、主要な釘のみを示している。以下、弾球遊技機１の主要な部分について説明する。
【００１９】
前記外レール３の一部と前記内レール４間は、遊技球の案内通路５を構成し、前記球発射装置６４によって発射された遊技球が通過して前記遊技領域６へ打ち込まれるように構成されている。
【００２０】
図２にも示すように、前記遊技領域６には、遊技装置７が、前記外レール３及び内レール４からなる前記領域区画部材との間に遊技球通過可能な領域を前記遊技装置７の上方及び左右に残して前記遊技領域６の略上半分に設置されている。また、前記遊技装置７の直下に上側始動入賞口４１と下側始動入賞口４２が配置され、さらに前記下側始動入賞口４２の下方に大入賞口４５が配置され、その下方にアウト口４９が配置されている。前記下側始動入賞口４２及び前記大入賞口４５の左右には左袖入賞口５１、右袖入賞口５２、左落とし入賞口５３、右落とし入賞口５４が配置されている。前記左袖入賞口５１の上方にはＬＥＤ表示装置等からなる普通図柄表示装置５０が配置されている。なお、本実施例では前記上側始動入賞口４１と下側始動入賞口４２は、本発明において遊技者に有利な特典を付与可能な入賞領域に相当する。また、遊技者に有利な特典とは、後述のように、大当たり遊技とされている。前記弾球遊技機１においては、前記遊技領域６に打ち込まれた遊技球が前記種々の入賞口（入賞領域）に入球（入賞）すると所定数の遊技球が賞品球として払い出され、入賞口等に入球しなかった遊技球は前記アウト口４９を通って遊技領域６から排出される。
【００２１】
また、前記外レール３及び内レール４からなる前記領域区画部材と前記遊技装置７の左側側部（すなわち、後述の装飾部材８における左側側部の壁部）との間には遊技球が流下可能な左側側部球通過領域６ａが形成され、一方、前記内レール４と前記遊技装置７の右側側部（すなわち、後述の装飾部材８における右側側部の壁部）との間には右側側部球通過領域６ｂが形成されている。
【００２２】
本実施例では、前記遊技装置７の大型化に伴い、前記左側側部球通過領域６ａを遊技球が流下可能なようにすると共に、少なくとも前記右側側部球通路６ｂでも遊技球が流下可能なように、前記右側側部球通路６ｂの大きさ、すなわち前記内レール４と前記遊技装置７の右側側部の壁部（後述の装飾部材８における右側側部の壁部）との間隔が、遊技球の直径の１倍より大きく２倍より小さく構成されている。この構成により、前記右側側部球通過領域６ｂでは遊技球が１個ずつ流下することが可能であり、また、２個分の遊技球がまとめて流下しようとすることによって遊技球が詰まるおそれを低減することが可能である。それに対して、前記左側側部球通過領域６ａの大きさ、すなわち前記外レール３及び内レール４からなる前記領域区画部材と前記遊技装置７の左側側部の壁部との間隔は、前記右側側部球通過領域６ｂよりも広くされている。図２におけるＣ−Ｃ線は遊技領域６の中心線を示す。前記左側側部球通過領域６ａには、上部側にゲート５５が設けられている。また、前記遊技領域６には、打ち込まれた遊技球を誘導する複数の釘Ｊが所要位置に立設されている。図においては、見易くするため、一部の釘Ｊについては省略して示している。なお、前記右側側部球通過領域６ｂ及び左側側部球通過領域６ａにおける他の部材の配置や遊技球の流下等については後に詳述する。
【００２３】
前記遊技装置７は、本実施例ではセンター役物からなり、図３に示すように、前記遊技盤２の前面側に配置される枠状の装飾部材８と、前記装飾部材８の背面側に配置される枠状の基体９と、前記基体９の背面側に取り付けられて遊技者による視認可能な図柄表示装置１０と、前記図柄表示装置１０の背面側に配置されて前記基体９との間で前記図柄表示装置１０を保持する背面カバー１１とよりなる。
【００２４】
前記装飾部材８には、周囲の随所の位置に、前記遊技領域６を図柄表示装置１０側とその外側とに区画するための壁部８ａが遊技盤２の前方側（遊技者側）へ向けて立設されている。この構成としたことにより、前記遊技領域６を流下する遊技球が前記装飾部材８の壁部８ａと接触することにより、前記図柄表示装置１０側に自由に進入することを抑制したり、遊技球の流下方向を変更したりすることが可能となる。前記壁部８ａのうち、前記装飾部材８の左側側部に形成されている壁部と前記外レール３及び内レール４からなる前記領域区画部材との間が前記左側側部球通過領域６ａとされ、一方、前記壁部８ａのうち、前記装飾部材８の右側側部に形成されている壁部と前記内レール４との間が前記右側側部球通過領域６ｂとされている。また、前記装飾部材８における前記図柄表示装置１０の下方内面側には、前記遊技領域６から装飾部材８の内側に進入した遊技球を一旦転動（揺動）させ、その後に遊技領域６における装飾部材８の下方側へ流下させるステージ等の転動面８ｂが形成されている。なお、前記装飾部材８の下側については前記遊技領域６から区画する前記壁部８ａが立設されていない。前記ステージ等の転動面８ｂは、弾球遊技機の設計後においては、釘の調整等のようにして遊技球の動きを変更させることが困難なため、前記転動面８ｂを設けたことにより、前記転動面８ｂから流下（落下）する遊技球が前記上側始動入賞口４１あるいは下側始動入賞口４２に入賞する割合（入賞率）を、ほぼ設計値どおりにし易くなる。
【００２５】
前記装飾部材８の左側側部の壁部には前記転動面８ｂへ遊技球を誘導するワープルート入口８ｃが、前記ゲート５５よりも下方位置に貫通形成されており、前記遊技領域６の左側側部球通過領域６ａを流下する遊技球が前記ワープルート入口８ｃへ入球した場合にはワープルート入口８ｃから前記転動面８ｂへ至るワープルートへ誘導されるように構成されている。この構成としたことにより、次の効果が得られる。
【００２６】
すなわち、ワープルート入口の無い装飾部材であれば、始動入賞口等の入賞口への入賞割合（入賞率）を調整するには、遊技領域に配設された複数の釘のみで調整しなければならない。例えば、図柄表示装置や装飾部材などの遊技装置が大型化した場合、遊技領域における遊技装置以外のスペースが減少するため、遊技球の流下方向を調整するための釘等の配置領域が限定され、その結果、釘等の数を減らさねばならなくなり、始動入賞口へのルートを調整することが困難になったり、遊技球の流下速度を釘等で減速させることが困難になったりするおそれがある。したがって、遊技領域を流下する遊技球が始動入賞口へ入賞する割合（入賞率）が不安定になるおそれがある。例えば、弾球遊技機の設計段階における設定入賞割合（入賞）率から極端に上がったり、下がったりするおそれがある。
【００２７】
しかしながら、本実施例のように、前記ワープルート入口８ｃから前記転動面８ｂへ至るワープルートを設ければ、遊技装置が大型化することに伴い、遊技領域の遊技装置以外のスペースが減少し、遊技球の流下方向を調整するための釘等の配置領域（釘等の数）が限定された場合においても、前記ワープルート入口８ｃに入球した遊技球は前記調整困難な前記転動面８ｂを転動し、前記上側始動入賞口４１付近の上方位置で再度流下（落下）するため、始動入賞口への入賞割合（入賞率）を安定させることが可能であり、所定の入賞割合（入賞率）を確保することができ、残りの部分を釘等で調整すればよいため、全体的な始動入賞口への入賞割合（入賞率）を安定化させ、ほぼ設計値に近い値にすることが可能となる。
【００２８】
前記図柄表示装置１０は、遊技が大当たりか否かの判定結果を特別図柄の組合せで表示するものであり、液晶，ドットマトリックス若しくはＬＥＤ表示装置等の表示装置からなる。本実施例では、液晶表示器（ＴＦＴ−ＬＣＤモジュール）で構成されている。
【００２９】
前記図柄表示装置１０は、前面の表示領域における左側に左特別図柄が、中央に中特別図柄が、右側に右特別図柄が、それぞれ変動表示及び停止表示可能とされている。本実施例において、前記左側、中央、右側にそれぞれ表示される特別図柄は、数字が『０，１，２，３，４，５，６，７，８，９，１０，１１』とされた１２種類で構成され、大当たりの場合には、前記左側、中央、右側に、いわゆるぞろ目、すなわち数字が同一の特別図柄からなる当たり図柄の組合せ（例えば‘７，７，７’等）で停止表示されることにより、大当たりであることを示すようになっている。
【００３０】
前記上側始動入賞口４１は、前記遊技装置７の直下に位置し、上方が遊技球入球口（入賞領域に相当する）として開口している。また、前記下側始動入賞口４２は、前記遊技装置７及び前記上側始動入賞口４１の直下に位置し、２つの可動片４２ａ，４２ｂを備えると共に、前記２つの可動片４２ａ，４２ｂの先端間が遊技球の入球可能領域（入賞領域に相当する）とされ、前記可動片４２ａ，４２ｂが背面の始動入賞口用ソレノイドにより略垂直にされて入球（入賞）のし難い入球可能領域狭小状態と、略Ｖ字形（逆ハの字形）に拡開されて入球（入賞）のし易い入球可能領域拡大状態間を変化可能に制御されている。前記下側始動入賞口４２の可動片４２ａ，４２ｂ拡開は、前記普通図柄表示部５０で表示される普通図柄（小当たり判定図柄）が変動した後に予め決められた特定の普通図柄で確定停止表示されて小当たり（普通図柄当たり）が成立した時に行われようにようにされている。なお、前記普通図柄表示部５０は、小当たり判定図柄として記号或いは絵（キャラクタ）等からなる普通図柄が変動表示及び停止表示可能とされている。本実施例における前記普通図柄表示部５０に変動及び停止表示される普通図柄（小当たり判定図柄）は、『０，１，２，３，４，５，６，７，８，９』の１０通りの図柄とされており、前記ゲート５５に遊技球が入球することに起因して変動開始し、所定時間変動後に停止表示され、小当たりの場合には、前記普通図柄表示部５０に奇数の普通図柄で停止表示するようになっている。
【００３１】
前記上側始動入賞口４１及び前記下側始動入賞口４２の裏側には、特別図柄変動開始スイッチ（図示せず）が設けられている。前記上側始動入賞口４１あるいは前記下側始動入賞口４２（すなわち入賞領域）に遊技球が入球して遊技球の存在が前記特別図柄変動開始スイッチで検出されると、前記上側始動入賞口４１（入賞領域）あるいは前記下側始動入賞口４２（入賞領域）における遊技球の入球に起因して前記図柄表示装置１０で特別図柄の変動が開始され、所要時間変動した後に停止表示する図柄表示遊技が実行される。そして、停止特別図柄の組合せにより大当たりか否かの結果が示される。前記停止特別図柄の組合せが大当たりの場合には、遊技者に有利な特典が付与される後記の大当たり遊技（特別遊技）が行われる。
【００３２】
前記大入賞口４５は、遊技盤背面の大入賞口開放用ソレノイド（図示せず）によって開閉する開閉板４６を備えている。この大入賞口４５は、通常は開閉板４６が閉じた状態とされ、大当たり遊技の際に開くようになっている。前記大入賞口４５の一部には、該大入賞口４５が開いた際に開口して入賞（入球）可能にする特定領域入賞口４７を有する。さらに、前記特定領域入賞口４７には、所定条件時に特定領域開放用ソレノイドにより開閉される開閉扉（図示せず）が設けられている。また、前記特定領域入賞口４７には特定領域入賞口への入賞球（入球遊技球）を検出する特定入賞球検出スイッチ（特定領域センサー）が設けられ、該入賞球の検出により前記大入賞口４５を再度開ける継続権利が成立するようにされている。前記大入賞口４５内の略中央には、前記大入賞口４５に入賞し、かつ前記特定領域入賞口４７に入賞しなかった入賞球を検出する入賞球数カウントスイッチ（図示せず）が設けられている。
【００３３】
遊技者に有利な特典が付与された前記大当たり遊技では、前記大入賞口４５の開閉板４６が開いて前記遊技領域６の表面を流下してくる遊技球を受け止め、前記大入賞口４５へ入賞可能にする。そして、前記大入賞口４５への入賞があると、図示しない賞球払出装置により所定数の遊技球が賞品球として払い出される。前記開閉板４６は、所定時間（例えば２９．５秒）経過後、或いは前記入賞球数カウントスイッチで検出された入賞球数が所定個数（例えば１０個）となった時点で閉じるようにされている。
【００３４】
前記大入賞口４５の開放中又は大入賞口４５が閉じてから約２秒以内に、前記特定領域入賞口４７への入賞球を特定入賞球検出スイッチが検出すると、前記大当たりを再度繰り返す継続権利が発生し、所定最高回数（例えば最高１５回又は１３回）、前記開閉板４６の開放を繰り返すようになっている。
【００３５】
前記右側側部球通過領域６ｂの下方側には、図４にも示すように、流下してきた遊技球Ｐの向きを遊技領域６の中央側へ変更する流下方向変更部材６０が、前記右袖入賞口５２より上方側の位置に、かつ前記遊技領域６の中央側へ突出して形成されている。前記流下方向変更部材６０の左側には遊技球１個分より大きく、２個分未満の間隔を空けて道釘誘導部材６１が、前記遊技領域６の中央側へ向けて僅かに下方へ傾斜した状態で設けられている。前記道釘誘導部材６１は、遊技球が接触して転動する上面が凹凸の無いリブ状（起立した平板状）で構成されている。この構成により、前記道釘誘導部材６１上を転動する遊技球が弾んだりすることを低減し、スムーズに遊技球を道釘誘導部材６１上で転動流下させることが可能となる。
【００３６】
前記道釘誘導部材６１における前記流下方向変更部材６０側の端部（すなわち右端）は振り分け部６１ａとして形成されており、前記右側側部球通過領域６ｂを流下してきた遊技球が前記流下方向変更部材６０と接触した後、前記道釘誘導部材６１の振り分け部６１ａと接触することにより、前記道釘誘導部材６１の上面側、あるいは前記流下方向変更部材６０と前記道釘誘導部材６１間から下方の右袖入賞口５２や右落とし入賞口５４、あるいはアウト口４９への何れかのルートに振り分けられるように構成されている。ただし、前記流下方向変更部材６０に接触した遊技球に勢いがない場合には、遊技球が前記振り分け部６１ａに接触することなく、そのまま下方の右袖入賞口５２や右落とし入賞口５４、あるいはアウト口４９側へ流下する場合がある。また、前記流下方向変更部材６０に接触した遊技球に勢いがある場合には、遊技球が前記振り分け部６１ａに接触することなく、そのまま前記道釘誘導部材６１の上面側に流下する場合もある。なお、前記振り分け部６１ａは、遊技球をスムーズに振り分ける、あるいは遊技球がこの付近で詰まるおそれを低減するために、略円弧状の曲面で構成するのが好ましい。
【００３７】
前記道釘誘導部材６１から前記下側始動入賞口４２の右側にかけて複数の釘からなる下側始動入賞口右側道釘Ｊ５が立設されており、前記道釘誘導部材６１から前記下側始動入賞口右側道釘Ｊ５上を転動流下してきた遊技球が、前記下側始動入賞口４２へ入球し易い構成とされている。
【００３８】
前記下側始動入賞口右側道釘Ｊ５の上方側には、複数の釘からなる上側始動入賞口右側道釘Ｊ４が立設されている。前記上側始動入賞口右側道釘Ｊ４は、前記装飾部材８における転動面８ｂの右側から流下した遊技球や、後述の上側始動入賞口左側道釘Ｊ２から流下してきて前記上側始動入賞口４１を一旦通り越した遊技球を、前記上側始動入賞口４１へ入球し易くするためのものである。
【００３９】
このように、本実施例では、前記遊技装置７の右側の右側側部球通過領域６ｂを流下してきた遊技球を、前記上側始動入賞口４１、前記下側始動入賞口４２、前記右袖入賞口５２、前記右落とし入賞口５４あるいは前記アウト口４９の何れかに振り分けることが可能である。
【００４０】
それに対し、例えば、右側側部球通過領域６ｂを流下する遊技球が、各入賞口（前記上側始動入賞口４１、前記下側始動入賞口４２、前記右袖入賞口５２や前記右落とし入賞口５４）のみに入球したり、前記アウト口４９のみに入球したりする構成の場合には、入賞口への入賞割合（入賞率）やアウト口への入球割合（入球率）が極端に上がるおそれがある。特に右側側部球通過領域６ｂを流下する遊技球が各入賞口に入賞せず、前記アウト口４９のみに入球する場合には、各入賞口への入賞割合（入賞率）に対する調整を前記遊技装置７の左側のみの釘等で調整しなければならず、入賞割合（入賞率）が不安定になるおそれがある。このような現象は、例えば、前記遊技装置７の装飾部材８が左右非対称で前記遊技領域６の右側空間を前記装飾部材８でつぶしたり、前記図柄表示装置１０の大型化に伴い装飾部材８が大型化し、それにより前記遊技領域６における釘等の数を減らしたり、釘の配置位置が限定されたりした場合に生じる。この場合、前記遊技装置７の左側の釘で入賞割合（入賞率）の調整をしなければならないが、前記遊技装置７の大型化等によって前記遊技装置７の左側でも釘の配置スペースが減少して釘の数が少なくなる等の理由から、前記遊技装置７の左側の釘による調整が非常に困難であり、入賞割合（入賞率）が不安定になるおそれがある。しかしながら、本実施例のような遊技領域６の右側の構成とすれば、前記のような装飾部材８の形状や配置であったとしても、各入賞口への入賞割合（入賞率）やアウト口４９への入球割合（入球率）を安定させることが可能である。
【００４１】
前記遊技装置７の左側における前記左側側部球通過領域６ａには、図５及び図６に示すように、前記ゲート５０の下方における前記ワープルート入口８ｃの左側付近から下方側へ第１球通路７０が、複数の釘によって形成されている。本実施例では、前記第１球通路７０は３列で構成されているが、これに限るものではなく、１列でもよいし、２列以上であってもよい。また、本実施例では、複数の釘によって第１球通路７０が構成されているが、釘以外の部材で構成されてもよい。さらに、前記遊技領域６の遊技球流下領域自体（この実施例では左側側部球通過領域６ａ）を第１球通路７０としてもよい。
【００４２】
前記第１球通路７０の下方側で、かつ前記遊技装置７の下側には、主に前記上側始動入賞口４１（たまには前記下側始動入賞口４２）へ遊技球を流下させる第２球通路７２と、前記第２球通路７２の下側に位置し、主に前記下側始動入賞口４２へ遊技球を流下させる第３球通路７４とが少なくとも設けられている。また、前記第１球通路７０の下方側（前記第１球通路７０の途中であってもよい）と、前記第２球通路７２及び前記第３球通路７４との間（本実施例では前記第２球通路７２及び前記第３球通路７４の左端との間）には、前記第１球通路７０を流下してきた遊技球が接触することにより、遊技球を前記第２球通路７２あるいは前記第３球通路へ進路変更可能な進路変更部材７６が設けられている。前記進路変更部材７６は、接触した遊技球を前記第２球通路７２側へ進路変更させる状態と、前記第２球通路７２側とは異なる方向へ進路変更させる状態とに変化可能に構成されたものからなり、本実施例では、風車で構成されている。前記進路変更部材７６を構成する風車は、遊技球が接触することにより回転し、遊技球を前記第２球通路７２側あるいは前記第３球通路７４側へ遊技球の進路を変更する（振り分ける）ことができる。なお、前記進路変更部材７６は、前記第１球通路７０を流下してくる遊技球が接触することにより遊技球を複数の通路に振り分けたり、前記第２球通路７２へ進路変更したりすることのできる部材であればよく、本実施例のような風車に限るものではなく、釘等でもよいし、回動とは異なる移動によって前記振り分けや進路変更を行うものでもよい。また、後述する上側通路部材７９あるいは下側通路部材８３の一部で兼用する構成でもよい。
【００４３】
前記第２球通路７２及び前記第３球通路７４は、図６から理解されるように、遊技球と接触して遊技球を流下させる誘導面７３ａ，７５ａが形成された誘導部材７３，７５を複数配設することにより形成されている。前記誘導面７３ａ，７５ａは略円弧状からなり、それによって前記第２球通路７２と第３球通路７４における遊技球流下面が凹凸とされ、前記第２球通路７２及び前記第３球通路７４を遊技球が流下時に上下等に弾むように構成されている。本実施例における前記誘導部材７３，７５は、釘で構成されていて前記釘の軸部が前記略円弧状の誘導面７３ａ，７５ａを構成している。前記釘は、釘自体が遊技球を弾ませる素材（例えば真鍮）で構成され、釘と釘の間から遊技球が落下しない程度の間隔で複数の釘が連設されていることから、前記第２球通路７２及び第３球通路７４を流下する遊技球は弾みながら流下し、遊技球の流下態様を見易くすることが可能である。前記第２球通路７２における遊技球の理想の流下は、前記第２球通路７２における直線流下方向ａに対し、ｂのように前記遊技球の弾みによって少し上下にジグザグして流下するのが好ましい。理想のジグザグｂとすることにより、遊技球の遊技態様が見易く、かつ上側始動入賞口７２への入賞割合（入賞率）を安定させることが可能である。
【００４４】
符号Ｊ２は前記第２球通路７２を構成する複数の釘からなる上側始動入賞口左側道釘であり、符号Ｊ３は前記第３球通路７４を構成する複数の釘からなる下側始動入賞口左側道釘である。前記第２球通路７２及び前記第３球通路７４には、途中に遊技球が直下方向へ落下可能となるように釘と釘の間隔を遊技球１個分空けた部分が１箇所以上あってもよいし、そのような間隔を開けなくてもよい。なお、前記第１球通路７０の下方側に前記第２球通路７２と第３球通路７４を設けているが、それに限るものではない。例えば、前記第２球通路７２のみでもよいし、少なくとも第２球通路７２を含むものであれば３以上の球通路を設けてもよい。
【００４５】
ところで、図７に示すように、前記上側始動入賞口左側道釘Ｊ２による遊技球の弾み等によって、遊技球が前記第２球通路７２における直線流下方向ａに対して高い位置から前記第２球通路７２の遊技球流下面（誘導面）へ向かう方向ｃへ流下した場合、遊技球は前記理想のジグザグｂ程度よりも、更に大きく弾みながら流下することになる。特に、流下する遊技球の速度が大きいほど弾む程度が大になる。さらに、前記遊技装置７の大型化により、遊技球の流下領域が狭くなって前記進路変更部材７６と前記上側始動入賞口４１との間隔が長くなるため、その分、前記第２球通路７２の長さが大になり、遊技球が大きく弾む領域が多くなるおそれがある。
【００４６】
しかも、前記遊技装置７の大型化により遊技球流下領域が狭くなり、前記第１球通路７０の流下方向が略直下方向となったり、前記第１球通路７０を流下する遊技球の流下速度を減速させるための部材などを設けにくくなったりするおそれがある。この場合、前記第１球通路７０を流下する遊技球が流下速度を減少しない状態で前記第２球通路７２へ向けて流下したり、前記第１球通路７０による流下方向と前記第２球通路７２による流下方向の間で構成される角度が小さくなったりすることから、前記上側始動入賞口左側道釘Ｊ２による遊技球の弾み等により第２球通路７２上で遊技球が大きく弾むおそれがある。そして、前記第２球通路７２上で大きく弾んだ遊技球が前記装飾部材８における転動面８ｂに進入したり、前記第２球通路７２上を流下した遊技球が前記上側始動入賞口４１を跳び越えて前記上側始動入賞口右側道釘Ｊ４へ移動したりして、前記上側始動入賞口４１への入賞割合（入賞率）が不安定になるおそれがある。
【００４７】
また、前記第１球通路７０から複数の遊技球がまとめて流下することもあり、その場合、それぞれの遊技球同士が接触する等して遊技球が前記第２球通路７２上で多様な方向に弾み、前記上側始動入賞口４１への入賞割合（入賞率）が一層不安定になるおそれがある。さらに、遊技球が前記第１球通路７０上を減速することなく略直下方向に流下した場合、前記進路変更部材７６に接触すると、遊技球が前記第２球通路７２側ではなく、前記装飾部材８の転動面８ｂ側へ進入する場合もある。このように、前記ワープルート入口８ｃ以外から前記転動面８ｂへ向けて余分な遊技球が進入する場合があり、それに伴って、前記転動面８ｂから前記上側始動入賞口４１への入賞割合（入賞率）が設計値以上になるおそれがある。設計段階では、前記ワープルート入口８ｃから前記転動面８ｂを経由して前記上側始動入賞口４１に入賞する割合（入賞率）と、前記第２球通路７２を流下して前記上側始動入賞口４１に入賞する割合（入賞率）などを合わせて総合的に理想の入賞割合（入賞率）の設計値を算出している。しかしながら、前記の理由から、設計値どおりの入賞割合（入賞率）にならないことが生じるおそれがある。なお、前記入賞割合（入賞率）の不安定のおそれについては、前記遊技装置７が大きい場合を例にして説明したが、通常の遊技装置の大きさの場合にも生じうることである。
【００４８】
前記入賞割合（入賞率）の不安定さを低減するため、本発明では、図１〜図２及び図５〜図６に示すように、前記進路変更部材７６の側方、前記遊技装置７側に上側通路部材７９を、前記ワープルート入口８ｃの下側から前記第２球通路７２の入口（左端）付近にかけて設けた。前記上側通路部材７９は、前記第２球通路７２の誘導部材７３とは異なる部材からなり、本実施例では、前記誘導部材７３を構成する釘とは異なるリブ状（起立片状）からなる。前記上側通路部材７９を設けたことによって、前記第１球通路７０を流下する遊技球が前記第２球通路７２へ向かう軌道とは異なる前記転動面８ｂ側へ直接に進行し、あるいは前記進路変更部材７６によって前記転動面８ｂ側へ進路変更した際に、遊技球が前記転動面８ｂに進入することを防止することができる。このように、前記上側通路部材７９は転動面進入防止部材の役割を果たしている。また、前記第１球通路７０を流下する遊技球が前記上側通路部材７９と接触することにより、遊技球の勢いを緩和する（流下速度を減速する）ことが可能であり、前記上側通路部材７９は、流下速度減少部材の役割を果たしている。さらに、前記第１球通路７０を流下する遊技球が前記上側通路部材７９と接触することにより、遊技球の軌道を前記第２球通路７２側へ向かう軌道に修正することが可能であり、前記上側通路部材７９は、軌道修正部材の役割を果たしている。
【００４９】
本実施例において、前記上側通路部材７９には、遊技球が前記進路変更部材７６から前記第２球通路７２へ向かう軌道から外れた位置に、前記進路変更部材７６側に向けて略円弧状突起８０が形成されている。本実施例では、前記上側通路部材７９において、前記第２球通路７２へ向かう軌道から外れた遊技球が接触する面、すなわち前記進路変更部材７６を向く面が前記略円弧状突起８０として膨らんだ形状とされている。例えば、図８に示すように、前記上側通路部材７９において、遊技球が前記進路変更部材７６から前記第２球通路７２へ向かう軌道から外れた位置の部分を直角状突起８０ａとした場合には、前記第１球通路７０を流下した遊技球が前記直角状突起８０ａと接触した際に、再び前記進路変更部材７６側へ進路変更されて、前記第２球通路７２側へ流下するはずの遊技球が前記第３球通路７４へ流下したり、前記進路変更部材７６を構成する風車が回転して後続の遊技球の流下方向が別の方向に変更されたり、前記上側通路部材７９で跳ね返った遊技球が後続の遊技球と接触する等して、他の遊技球の流下態様に影響を与えるおそれがある。また、複数の遊技球がまとめて流下した際に、直角状突起８０ａにおける角の部分と上側通路部材７９の下方の釘Ｊａとの間で遊技球が詰まるおそれがある。
【００５０】
それに対し、本実施例では、図１〜図２及び図５〜図６に示すように、遊技球が前記進路変更部材７６から前記第２球通路７２へ向かう軌道から外れた位置に、前記進路変更部材７６側に向けて略円弧状突起８０を設けたため、前記第１球通路７０から流下する遊技球が何れの方向から前記円弧状突起８０と接触しても、前記第２球通路７２側へ遊技球の軌道を是正することが可能である。さらに、図６に示すように、前記円弧状突起８０とその下側の部分とで遊技球がまとめて２個分流下したとしても、上方側の遊技球Ｐ１が前記略円弧状突起８０の表面に沿ってずれるため、球詰まりのおそれを低減することが可能である。符号Ｐ２は、前記略円弧状突起８０とその下側の部分とで遊技球がまとめて２個分流下する場合における下側の遊技球を示す。
【００５１】
前記上側通路部材７９のうち、前記第２球通路７２側の端部と前記第２球通路７２との間隔（前記遊技球流下面との間隔）ｄ１は、遊技球の１個分より大きく、２個分未満とすることが好ましい。仮に遊技球２個分以上の間隔を空けた場合、遊技球２個分がまとめて流下した際に、前記上側通路部材７９の端部と前記第２球通路７２（前記遊技球流下面）との間で遊技球が詰まったり、複数の遊技球がまとめて第２球通路７２を流下し、遊技球が互いに接触したりして遊技球の流下態様が不安定になったりするおそれがある。それに対して、前記のように、前記第２球通路７２側の端部と前記第２球通路７２（前記遊技球流下面）との間隔ｄ１を、遊技球の１個分より大きく、２個分未満とすることにより、２個分の遊技球がまとめて流下したとしても、前記略円弧状突起８０と遊技球が接触することにより、遊技球が１個ずつ整流して前記第２球通路７２を流下させることが可能であり、また遊技球２個分が詰まる等のおそれを低減することが可能である。さらに、前記第２球通路７２上で、遊技球の弾む距離も遊技球１個分程度となり、遊技球の弾みを極力小さくすることが可能である。
【００５２】
前記上側通路部材７９のうち前記進路変更部材７６側の部分と前記進路変更部材７６の間は遊技球２個分以上空けるのが好ましい。これにより、前記進路変更部材７６と接触した遊技球を下方側へ多少大きく流下させることが可能である。
【００５３】
前記上側通路部材７９のうち前記略円弧状突起８０の一端側、すなわち前記第２球通路７２側の端部には、前記第２球通路７２（前記上側始動入賞口左側道釘Ｊ２）と同方向に延びた延設部８１が、前記第２球通路７２（前記上側始動入賞口左側道釘Ｊ２）と略平行に形成されている。これにより、仮に前記上側通路部材７９の略円弧状突起８０に遊技球が接触して前記第２球通路７２側へ流下した際には、前記第２球通路７２を構成する前記誘導部材としての釘（前記上側始動入賞口左側道釘Ｊ２の釘）により遊技球が大きく弾んだ場合にも、前記延設部８１に遊技球が接触して再度遊技球を第２球通路７２側へ向けて遊技球の流下方向を修正することが可能である。前記延設部８１と前記第２球通路７２との間（前記延設部８１と前記第２球通路７２の遊技球流下面との間、本実施例では前記延設部８１と前記上側始動入賞口左側道釘Ｊ２との間）ｄ２は、少なくとも遊技球の１個が通過可能な間隔（特に遊技球の１個分よりも大きく、２個分未満）とするのが好ましい。前記間隔ｄ２を少なくとも遊技球１個分とすることにより、その間隔の大きさでしか遊技球が弾まなくなるため、遊技球の弾みを極力小さくすることが可能である。また、遊技球が２個分まとめて流下するおそれも低減することが可能である。前記延設部８１の長さは適宜設計変更することが可能である。
【００５４】
また、前記上側通路部材７９に遊技球が接触して下方側へ向きを変更した場合、前記第２球通路７２に誘導されることなくそのまま下方へ流下するのを防止するために、前記上側通路部材７９の下方側には、前記上側通路部材７９との接触により下方側へ向きを変更した遊技球を前記第２球通路７２へ流下させるための部材を配置する必要がある。そこで、前記第２球通路７２を構成している釘と同様の釘Ｊ７を図９のように複数連接して配置することにより、前記上側通路部材７９との接触により下方側へ向きを変更した遊技球を前記第２球通路７２へ流下させることが可能となる。しかし、その場合、次のような問題が発生する。すなわち、釘Ｊ７には、図９のＥ−Ｅ断面に示すように、前記遊技盤２に固定するための軸部ｇと前記軸部ｇよりも径の拡大した傘部ｈを有する。そのため、前記複数の釘Ｊ７を連接して配設した場合には、その上面の遊技球流下面が凹凸となってしまう。また、前記のように進路変更部材７６と前記上側通路部材７９の間が遊技球２個分以上空いていたり、前記円弧状突起８０の円弧形状により前記円弧形状突起８０のワープルート入口８ｃ側と釘Ｊ７との間が遊技球２個分以上空いていたりする。それらにより、前記第１球通路７０から前記第２球通路７２にかけて、特に前記上側通路部材７９とその下方の釘Ｊ７の間に２個分以上の遊技球が流下する場合があり、その場合には、２個分以上の遊技球Ｐ３が前記上側通路部材７９（あるいは遊技盤２に装飾部材８を取り付けるための台板）と、前記釘Ｊ７の軸部ｇと、前記釘Ｊ７の傘部ｈとの３点間（あるいは台板にも当接して４点間）に詰まるおそれがある。
【００５５】
前記２個分以上の遊技球Ｐ３が前記上側通路部材７９と、前記釘Ｊ７の軸部ｇと、前記釘Ｊ７の傘部ｈとの３点間に詰まるおそれを低減するため、本実施例では、図１〜図２及び図５〜図６に示すように、前記略円弧突起８０の下方に、前記第２球通路７２の誘導部材７３とは異なる（すなわち釘とは異なる）部材で構成された下側通路部材８３を配設した。前記下側通路部材８３は、遊技球の流下可能な凹凸の無い平面形状の流下面８４（図６に示す）が、少なくとも前記円弧状突起８０の下方に、かつ前記流下面８４を流下する遊技球を前記第２球通路７２の複数の誘導部材７３上へ誘導可能に形成されている。本実施例では、前記凹凸の無い平面形状の流下面８４を有する下側通路部材８３を、前記誘導部材７３を構成する釘とは異なるリブ状（起立した平板状）のものとして、前記進路変更部材７６と前記下側始動入賞口左側道釘Ｊ３との間に配設した。このように、前記下側通路部材８３の流下面８４を凹凸の無い平面形状としたことにより、前記上側通路部材７９と前記下側通路部材８３との間のうち遊技球２個分以上空いている部分で、遊技球が２個分流下した場合においても、前記のように釘であれば遊技球が３点支持されて詰まるおそれがあったのを、本実施例では前記上側通路部材７９と前記下側通路部材８３による２点支持となるため、遊技球の詰まるおそれを低減することが可能である。さらに前記のように、前記上側通路部材７９には前記進路変更部材７６側へ向けて前記略円弧状突起８０を形成したことにより、遊技球が前記円弧状突起８０の接触面に沿って動き、遊技球が詰まるおそれをより低減することが可能である。
【００５６】
また、前記下側通路部材８３は樹脂等で構成され、前記流下面８４が凹凸の無い平面状で形成されているため、前記第１球通路７０から前記下側通路部材８３の流下面８４に、あるいは前記進路変更部材７６から前記下側通路部材８３の流下面８４に、あるいは前記上側通路部材７９から前記下側通路部材８３の流下面８４に接触した遊技球の勢い（流下速度）を、前記下側通路部材８３により吸収して緩和（流下速度の減速）することが可能である。したがって、遊技球を前記第２球通路７２において理想のジグザグ程度に近い態様で流下させることが可能となる。また、これにより、前記上側始動入賞口４１への入賞割合（入賞率）を安定させることが可能である。
【００５７】
さらに、本実施例では、図５及び図６に示すように、前記上側通路部材７９と前記下側通路部材８３間には連通通路８５が形成されている。前記連通通路８５は、前記進路変更部材７６により進路変更した遊技球を前記第２球通路７２へ誘導可能なものであり、一端側が前記第２球通路７２と通じて配置されている。前記上側通路部材７９の円弧状突起８０と前記下側通路部材８３の流下面８４の間隔は、前記進路変更部材７６側では遊技球の直径の２倍以上とされる一方、前記第２球通路７２側では遊技球の直径の１倍より大きく、かつ２倍未満とするのが好ましい。これにより、遊技球を１個ずつ前記第２球通路７２へ流下させることが可能であり、遊技球が２個分まとめて詰まる等のおそれも低減することが可能である。また、前記上側通路部材７９と前記下側通路部材８３の間の特に前面部分には何も設けられていないため、設計し易く、遊技球の動きを遊技者が視認可能である。
【００５８】
前記下側通路部材８３は、図６に示すように、前記進路変更部材７６側から少なくとも前記円弧状突起８０と前記延設部８１との境８６に対応（対向）する位置まで形成されているのが好ましい。また、前記下側通路部材８３は、前記上側始動入賞口左側道釘Ｊ２における前記延設部８１と対応（対向）する位置の釘に代え、前記円弧状突起８０と前記延設部８１との境８６よりも前記第２球通路７２側へ延長させてもよい。それにより、前記第２球通路７２の上側始動入賞口左側道釘Ｊ２との境界部分まで遊技球が弾むことなく流下し、その後に前記上側始動入賞口左側道釘Ｊ２の釘により弾むことになるため、前記理想のジグザグ程度に近い態様で遊技球を流下させることが可能である。なお、本実施例において、前記円弧状突起８０と前記延設部８１との境８６は、前記円弧状突起８０側の略円弧状の曲面から前記延設部８１における略平坦な平面に変化する位置とされている。
【００５９】
前記下側通路部材８３の形成方向は、前記第２球通路７２の複数の釘（前記上側始動入賞口左側道釘Ｊ２）と同方向とされているが、前記下側通路部材８３の形成方向と水平方向の間の角度、すなわち前記下側通路部材８３の傾斜角度を緩やかにしてもよい。それにより、前記下側通路部材８３に接触した遊技球の勢いを緩和（流下速度を減速）することが可能である。
【００６０】
前記下側通路部材８３のうち、前記進路変更部材７６側の端部に遊技球落下防止部（図示せず）を設けてもよい。この構成により、前記下側通路部材８３の流下面８４に接触した遊技球が前記第２球通路７２側ではなく、前記進路変更部材７６側に移動した際にも遊技球落下防止部に接触して前記下側通路部材８３から別の球通路へ流下するのを抑制することが可能であると共に、再度前記第２球通路７２側へ流下させることが可能である。従って、前記第２球通路７２を流下する遊技球の割合を安定させることが可能であり、その結果、前記上側始動入賞口４１への入賞割合（入賞率）を安定させることが可能である。前記進路変更部材７６側の端部に設ける遊技球落下防止部としては、上方へ突出した突部や段部を挙げることができる。
【００６１】
また、本実施例では、図１〜図２及び図５〜図６に示すように、前記進路変更部材７６の下方に、遊技球転動部材９１が、その右端側を前記下側始動入賞口左側道釘Ｊ３の左端側に接近させて設けられている。前記遊技球転動部材９１は、前記第１球通路７０から流下する遊技球が前記第２球通路７２側へ流下しなかった場合に、遊技球Ｐ４（図６に示す）を受け止めて前記第３球通路７４側へ誘導可能にするものであり、本実施例ではリブ状（起立した平板状）のものからなる。前記遊技球転動部材９１の傾斜角度は、前記下側始動入賞口左側道釘Ｊ３の傾斜角度よりも緩やかに構成して遊技球の流下速度を減少させるのが好ましい。また、前記遊技球転動部材９１は取り付け用台板（図示せず）によって前記遊技盤２へ取り付けるようにし、前記遊技球転動部材９１のうち前記下側始動入賞口左側道釘Ｊ３側の部分については、取り付け用台板及び前記遊技盤２へ固定せず、それによって多少弾むことが可能な構成としてもよい。この構成とすることにより、遊技球の動きを多様化させることが可能である。
【００６２】
以上の構成としたことにより、前記遊技装置７の一側における前記第１球通路７０を流下する遊技球は、前記進路変更部材７６と接触することにより、あるいは前記進路変更部材７６と接触することなく直接前記第２球通路７２へ向けて所定の軌道に進路変更されることが可能になる。しかしながら、例えば、前記遊技装置７の大型化に伴って、前記第１球通路７０の位置が限定される等の理由から、遊技球が所定の軌道とは異なった方向（本実施例では前記装飾部材８の下部の転動面８ｂ側）に進路変更する場合がある。また、遊技球の流下速度が減少されずに所定の軌道とは異なる方向に進路変更する場合がある。そのような場合においても、本実施例では、前記第１球通路７０を流下してきた遊技球が前記円弧状突起８０と接触するため、遊技球の勢いを緩和（流下速度を減少）させることが可能であり、また、遊技球を所定の軌道へ修正することが可能であり、前記第２球通路７２へ流下させることが可能である。
【００６３】
本実施例の弾球遊技機１において、所定の軌道に沿って流下する遊技球、あるいは前記円弧状突起８０と接触することにより所定の軌道に修正された遊技球は、前記第２球通路７２における複数の誘導部材（本実施例では前記上側始動入賞口左側道釘Ｊ２を構成する釘）の誘導面上を流下する際に、前記誘導面によって流下速度を減少させながら前記第２球通路７２の下流側へ流下させることが可能である。
【００６４】
また、本実施例の弾球遊技機１においては、前記延設部８１を設けているため、前記第２球通路７２上で弾んだ遊技球は、前記延設部８１に接触して前記装飾部材８の下部の転動面８ｂに進入することなく、再度前記第２球通路側へ向けて流下することが可能である。しかも、前記延設部８１と前記第２球通路７２の間（前記延設部８１と前記第２球通路７２の遊技球流下面の間、本実施例では前記延設部８１と前記下側始動入賞口左側道釘Ｊ２との間）は、少なくとも遊技球の１個が通過可能な間隔とされているため、前記第２球通路７２を通過する遊技球を、前記延設部８１と前記第２球通路７２の間隔内で弾ませながら前記上側始動入賞口４１側へ流下させることが可能である。
【００６５】
したがって、本実施例の弾球遊技機１においては、前記第２球通路７２を流下する遊技球は、所定の軌道に沿って流下すると共に勢いが緩和（流下速度が減少）した状態で流下するため、前記第２球通路７２上をさほど大きくない状態で弾みながら前記上側始動入賞口４１へ向けて流下することになるので、前記上側始動入賞口への入賞割合（入賞率）を安定させることが可能である。また、前記連通通路８５を複数の遊技球がまとめて流下する際に、前記上側通路部材７９の円弧状突起８０と前記下側通路部材８３の形状により遊技球が詰まるおそれを低減することが可能である。これらにより、本実施例の弾球遊技機においては、第１球通路を流下する遊技球は、弾球遊技機の特性である弾みながら第２球通路を経由してスムーズに上側始動入賞口（入賞領域）へ向けて流下することができるため、上側始動入賞口（入賞領域）への入賞割合（入賞率）を安定させることが可能である。
【００６６】
なお、前記実施例の説明においては、上側始動入賞口と下側始動入用口の両方を設けて双方を入賞領域とすると共に、第２球通路によって上側始動入賞口へ遊技球を誘導する構成としたが、本発明は、それに限られるものではない。例えば、始動入賞口を１個設けてその始動入賞口（入賞領域）へ第２球通路が遊技球を誘導する構成のものであってもよい。また、本実施例では、第２球通路によって遊技球が誘導される上側始動入賞口は、上向きに穴の開いたもので構成されているが、それに限られるものではなく、例えば本実施例における下側始動入賞口と同様の可動片によって開閉する構造からなるものであってもよい。
【図面の簡単な説明】
【００６７】
【図１】本発明の一実施例に係る弾球遊技機全体を示す正面図である。
【図２】同実施例における遊技領域の正面図である。
【図３】同実施例における遊技装置の分解斜視図である。
【図４】同実施例における遊技領域の右半分を示す正面図である。
【図５】同実施例における遊技領域の左半分を示す正面図である。
【図６】同実施例におけるワープルート入口及び進路変更部材付近を示す正面図である。
【図７】上側通路部材を設けない場合における遊技領域の左半分を示す正面図である。
【図８】円弧状突起及び下側通路部材を設けない場合における進路変更部材付近を示す正面図である。
【図９】下側通路部材を設けない場合における進路変更部材付近を示す正面図である。
【符号の説明】
【００６８】
１  弾球遊技機
２  遊技盤
６  遊技領域
７  遊技装置
８  装飾部材
１０  図柄表示装置
７０  第１球通路
７２  第２球通路
７３  誘導部材
７３ａ  誘導面
７４  第２球通路
７６  進路変更部材
７９  上側通路部材
８０  円弧状突起
８１  延設部
８３  下側通路部材
８４  流下面
８５  連通通路
【図１】
2007296014.tif 000003
【図２】
2007296014.tif 000004
【図３】
2007296014.tif 000005
【図４】
2007296014.tif 000006
【図５】
2007296014.tif 000007
【図６】
2007296014.tif 000008
【図７】
2007296014.tif 000009
【図８】
2007296014.tif 000010
【図９】
2007296014.tif 000011